(57)【特許請求の範囲】
【請求項１】
紙葉類を搬送する搬送手段の終端に臨んで設けられ該搬送手段により送り込まれる紙葉類を集積状態に集積する収納部と、
この収納部の入口端から奥側にかけて上方部両側に設けられ前記搬送手段により送り込まれる紙葉類の両側部下面を該収納部奥側にかけてガイドする側部ガイド部材と、
これら側部ガイド部材どうしの間の中間位置に設けられ前記搬送手段により送り込まれる紙葉類の中央部上面をガイドし入口側では前記側部ガイド部材より上位に位置し奥側になるにつれて側部ガイド部材より下位に位置して該紙葉類を前記側部ガイド部材との間で連続してガイドし該紙葉類を徐々にＵ字状に湾曲させる中央ガイド部材と、
前記搬送手段の終端部下方に回転中心を有して前記側部ガイド部材と中央ガイド部材との各間に設けられ前記搬送手段の終端部近傍位置において送入紙葉類の両側部を押し上げるとともに前記収納部の入口側上方において紙葉類の後端を叩き側部ガイド部材から下方へ落して集積させる複数枚の羽根を有する一対の第１羽根車と、
前記収納部の奥部の外部に回転中心を有して前記側部ガイド部材と中央ガイド部材との各間に設けられ該収納部へ送り込まれてきた紙葉類の先端部を叩き側部ガイド部材から下方へ落して集積させる複数枚の羽根を有する一対の第２羽根車と
を具有することを特徴とする紙葉類集積装置。
【発明の詳細な説明】
【０００１】
【発明の属する技術分野】
本発明は紙幣等の紙葉類を集積するための集積装置に係り、特に長方形を有する紙葉類をその長手方向に搬送して集積するのに適用して好適な紙葉類集積装置に関する。
【０００２】
【従来の技術】
例えば紙幣の場合、集積動作のみについてみると短手方向搬送とする方が腰くだけを起こさずに良好な集積ができて好ましいが、短手方向搬送とした場合、搬送系統においては斜行の発生率が高くなることや、搬送系統中に設けられる識別部による識別の場合にチェック箇所を多く選ぶことができず、所定の識別精度を得るためには複数の識別センサを設ける必要が生じ、それ故高価になるなどの問題点があり、したがって搬送系統においては長手搬送とする方が望ましい。
【０００３】
しかして従来の集積装置は、図５に示すように上下のベルト対からなる搬送手段１の終端に臨んで紙葉類収納部２が配設され、上記搬送手段１の終端から送り込まれる紙幣Ｐが順次収納部２の底部を構成する受板３上に集積されるようになされている。
【０００４】
そして送入される紙幣に直進性を付与するため、図６に示すように前記搬送手段１を構成する上下のベルト４，５のうち下部の末端プーリー６の両側に該プーリー６よりも大径のブラシ車あるいは単純なローラ等の回転体７，７が同軸上で同期回転するように設けられ、上下のベルト４，５間に挟持されて搬送されてきた紙幣Ｐが搬送手段１の終端から収納部２内に入るとき前記回転体７，７により紙幣Ｐの両側部が押し上げられて図７に示すように紙幣Ｐの送入方向先端が波を打つようにひだＰａ，Ｐａが付与され、これにより直進性が与えられるようになされている。
【０００５】
【発明が解決しようとする課題】
しかるに上記従来の技術では、収納部２に進入するときだけ紙幣にひだ付けがなされるのみであるから、流通紙幣のように四つ折りされた折りぐせＰｂ，Ｐｂ…が付いていたり、疲労が進んで腰が弱くなった紙幣であると収納部２内への集積位置へ至る前に腰くだけを起こし、良好な集積がなされないばかりでなく後続して送入される紙幣の先端の進路を妨げて収納部２内でジャムを起こすなどの種々の問題点があった。
【０００６】
なかには図５に鎖線で付記しているような押え部材８を軸９を支点に揺動自在に設け、この押え部材８により集積済みの紙幣Ｐの浮き上がりを防いで後続紙幣の挿入の障害になることを防止するとともに送入される紙幣Ｐの先端を下方へ誘導して良好な集積を図るようにしたものもあるが、これによっても紙幣Ｐに折りぐせＰｂ，Ｐｂが付いていたりすると押え部材８の下に入り込めずに曲がってしまい、やはり良好な集積を期すことは難しかった。
【０００７】
本発明はこれに鑑み、紙幣に限らず腰の弱い紙葉類であっても確実に集積させることのできる紙葉類集積装置を提供することを課題としてなされたものである。
【０００８】
【課題を解決するための手段】
上記課題を解決する手段として本発明は、紙葉類を搬送する搬送手段の終端に臨んで設けられ該搬送手段により送り込まれる紙葉類を集積状態に集積する収納部と、この収納部の入口端から奥側にかけて上方部両側に設けられ前記搬送手段により送り込まれる紙葉類の両側部下面を該収納部奥側にかけてガイドする側部ガイド部材と、これら側部ガイド部材どうしの間の中間位置に設けられ前記搬送手段により送り込まれる紙葉類の中央部上面をガイドし入口側では前記側部ガイド部材より上位に位置し奥側になるにつれて側部ガイド部材より下位に位置して該紙葉類を前記側部ガイド部材との間で連続してガイドし該紙葉類を徐々にＵ字状に湾曲させる中央ガイド部材と、前記搬送手段の終端部下方に回転中心を有して前記側部ガイド部材と中央ガイド部材との各間に設けられ前記搬送手段の終端部近傍位置において送入紙葉類の両側部を押し上げるとともに前記収納部の入口側上方において紙葉類の後端を叩き側部ガイド部材から下方へ落して集積させる複数枚の羽根を有する一対の第１羽根車と、前記収納部の奥部の外部に回転中心を有して前記側部ガイド部材と中央ガイド部材との各間に設けられ該収納部へ送り込まれてきた紙葉類の先端部を叩き側部ガイド部材から下方へ落して集積させる複数枚の羽根を有する一対の第２羽根車とを具有することを特徴とする。
【０００９】
【発明の実施の形態】
以下、本発明を図面に示す実施の形態を参照して説明する。
【００１０】
図１は紙葉類として紙幣Ｐをその長手方向に搬送して集積する集積装置とした場合の一実施形態の縦断側面図を示すもので、紙幣Ｐをその長手方向に搬送する搬送手段１０は上下一対のベルト１１，１２で構成され、その終端が臨む位置に紙幣Ｐを受け入れて集積する収納部１３が配設されている。
【００１１】
この収納部１３は、紙幣Ｐの入口側となる前壁１４と、奥端となる後壁１５と、左右の側壁１６，１６と、底部を構成しかつ集積枚数の増大に応じて順次下降する受板１７とで構成されており、前記搬送手段１０の終端に対向する収納部１３の前壁１４には該搬送手段１０の上下のベルト１１，１２間で挟持搬送される紙幣Ｐが進入し得る入口１８が開口されている。
【００１２】
前記収納部１３には、その入口１８側の端部から奥側の後壁１５にかけての上方部両側に紙幣Ｐの長手方向両側下面をガイドする丸棒状材等からなる左右一対の側部ガイド部材１９，１９が略水平乃至は後端がやや上昇する傾斜を付して架設され、またこれら側部ガイド部材１９，１９の中間位置の前記入口１８側から後壁１５にかけて紙幣Ｐの中央部上面をガイドする丸棒状材等からなる中央ガイド部材２０が架設されている。この中央ガイド部材２０は、前記入口１８側では図３（Ａ）のように前記側部ガイド部材１９，１９よりも上位に位置し、収納部１３の紙幣進入方向略中央付近では図３（Ｂ）のように側部ガイド部材１９，１９と同レベルに位置し、さらに奥側の後壁１５の位置では図３（Ｃ）のように側部ガイド部材１９，１９より下位に位置するよう傾斜して配設され、この中央ガイド部材２０により紙幣Ｐの幅方向中央部が徐々に下方へ下がるようにしてＵ字状に湾曲されるようになっている。
【００１３】
前記搬送手段１０の下部のベルト１２の終端のプーリー２１のプーリー軸２２上で前記側部ガイド部材１９，１９と中央ガイド部材２０との各間に位置して一対の第１羽根車２３，２３が該プーリー２１と同期回転するよう設けられている。この羽根車２３はそのボス部２３ａから放射方向にゴム片、プラスチックシート等の柔軟性材料からなる複数枚の羽根２４，２４…が植設されたもので、この羽根２４，２４…は搬送手段１０の上下のベルト１１，１２間の紙幣搬送面と交差しかつ収納部１３の前壁１４から収納部１３内に進入するようにし、プーリー軸２２の軸端のプーリー２５を通じ回転の伝達を受けて図１の矢印方向に回動されるように構成されている。
【００１４】
前記収納部１３の後壁１５側には、前記側部ガイド部材１９，１９と中央ガイド部材２０との各間に位置しかつ該後壁１５の外部で前記中央ガイド部材２０の後端位置と略同レベルに位置する軸２６に左右一対の第２羽根車２７，２７が軸端のプーリー２８から回転の伝達を受けて図１の矢印方向に回動されるように設けられている。
【００１５】
この第２羽根車２７も前記第１羽根車２３と同様にボス部２７ａの外周放射方向に複数枚の羽根２８，２８…が植設されており、この羽根２８，２８…は前記後壁１５から収納部１３内に進入して紙幣Ｐの送入方向先端を叩打して側部ガイド部材１９，１９から下方へ落下させるように構成されている。
【００１６】
収納部１３の底部を構成する受台１７は、図示しない昇降手段により既知のように昇降自在とされ、紙幣Ｐの受け入れ初期においては上昇位置におかれ、集積が進むにつれて段階的に下降し、常に紙幣Ｐを受け入れるに支障のない受け入れ空間を保つようになっている。
【００１７】
次に上記実施形態の作用を説明する。
【００１８】
搬送手段１０の上下のベルト１１，１２間に挟持されて搬送されてきた紙幣Ｐはその終端から収納部１３の入口１８へ送入される。収納部１３内に進入した紙幣Ｐはその進入方向両側下面が側部ガイド部材１９，１９の上に位置し、中央部上面は中央ガイド部材２０の下に位置して進行する（図３（Ａ）示）。このとき第１羽根車２３，２３の羽根２４，２４は紙幣Ｐにより倒れた状態となって紙幣Ｐの通過を妨げないとともに、従来と同様に紙幣Ｐの両側部を軽く押し上げて若干湾曲させる。
【００１９】
上記紙幣Ｐの先端が収納部１３の中ほどまで進むと中央ガイド部材２０は入口１８側より下がった位置にあるので図３（Ｂ）のように紙幣Ｐは進入方向両側部が次第に上方へ押し上げられる形で進行し、さらに収納部１３の奥端近くへ進むと図３（Ｃ）のように紙幣Ｐの進入方向中央部が益々下がるので両側部は立ち上げられて略Ｕ字状に湾曲される。
【００２０】
この時点に至ると第２羽根車２７，２７の羽根２８，２８により紙幣Ｐの先端上面が叩かれ、紙幣Ｐの長手方向両側部は図３（Ｄ）のように側部ガイド部材１９，１９から外れ、再び平坦状に戻って受台１７上へ落下集積される。
【００２１】
紙幣Ｐが収納部１３内に入りきったとき第１羽根車２３，２３の羽根２４，２４が紙幣Ｐの後端上面を叩き、紙幣Ｐの長手方向両側部を側部ガイド部材１９，１９間を通過させて下方へ落下させる。
【００２２】
これにより紙幣Ｐの収納部１３への進入から集積までの間に折れ曲ったりする機会は全く生じずに進行し、仮に折りぐせのある紙幣や腰のない紙幣であっても直進性が与えられて確実な集積を達成することができる。
【００２３】
上記実施形態では、側部ガイド部材１９，１９および中央ガイド部材２０を丸棒材で構成した場合について示したが、図４に断面を示すように側部ガイド部材１９，１９は収納部１３の側壁１６，１６の内側面から突出するように側部ガイド部材１９，１９を設けるようにしてもよく、また中央ガイド部材２０も断面四角形等、任意形状のものを用いることができる。また上記実施形態では紙幣を長手方向で搬送し、その姿勢で集積する場合を例示したが、紙幣以外の紙葉類の集積に対しても同様な作用効果を得ることができる。
【００２４】
【発明の効果】
以上説明したように本発明によれば、収納部内に送入される紙葉類が送入始端から終端に至るまでの間、連続して側部ガイド部材と中央ガイド部材とでガイドされ、特に先端側は中央ガイド部材の傾斜によってＵ字状に湾曲させられるので紙葉類の直進性が保証され、紙葉類に折りぐせや疲労があっても送入途中で腰くだけを起こすことを皆無として確実に集積させることができる。
【００２５】
また送入される紙葉類の送入方向先端は第２羽根車により強制的に下方へはたき落されるので、後続する紙葉類の送入に影響を与えることがなく、一層確実な集積をなさしめることができる。
【００２６】
取り扱う紙葉類が紙幣である場合には、長手方向の搬送および集積であっても前述の作用効果により良好な集積ができるので、長手方向搬送に伴うメリット、すなわち折りぐせや腰の弱った流通紙幣の集積にも支障なく対応することができながら、収納部内でのジャムの発生を防止できることや、搬送系中での識別の利点、斜行の発生防止上の利点等を享受することができるので特に有効である。
【図面の簡単な説明】
【図１】本発明の一実施形態を示す縦断側面図。
【図２】同、平面図。
【図３】（Ａ）は図１のＡ−Ａ線、（Ｂ）は同Ｂ−Ｂ線、（Ｃ）は同、Ｃ−Ｃ線の各断面図、（Ｄ）は紙葉類が側部ガイド部材から外れた状態図。
【図４】側部および中央ガイド部材の変形例を示す断面図。
【図５】従来の集積装置を示す縦断側面図。
【図６】図５のＤ−Ｄ矢視図。
【図７】従来の装置によりひだが付された紙葉類を示す斜視図。
【符号の説明】
１，１０  搬送手段
２，１３  収納部
３，１７  受台
１８  入口
１９  側部ガイド部材
２０  中央ガイド部材
２３  第１羽根車
２７  第２羽根車
【図１】
0004162797.tif 000002
【図２】
0004162797.tif 000003
【図３】
0004162797.tif 000004
【図４】
0004162797.tif 000005
【図５】
0004162797.tif 000006
【図６】
0004162797.tif 000007
【図７】
0004162797.tif 000008